(57)【要約】【課題】画像の品質を低下させることなく用紙全面に施す全面印刷を高精度に行う画像形成装置、画像形成方法、画像形成プログラム及び記録媒体を提供する。【解決手段】印刷する画像データの印刷領域情報と用紙情報から得られる印刷領域データとサイズに基づいて印刷用紙への描画位置を決定する描画位置決定手段と、全面印刷を行う時には端部領域の画像データの濃度を検出して複数回の印刷工程に分割し、分割された前記印刷工程ごとに描画する画像データを記憶して保存する分割画像データ記憶手段と、分割画像データ記憶手段により記憶された印刷工程ごとの画像データに基づいて端部領域の印刷を繰り返して行う全面印刷手段と、を有する。【選択図】図６
2010169827.tif 000002
【特許請求の範囲】
【請求項１】
印刷する画像データの印刷領域情報と用紙情報から得られる印刷領域データとサイズに基づいて印刷用紙への描画位置を決定する描画位置決定手段と、
全面印刷を行う時には端部領域の画像データの濃度を検出して複数回の印刷工程に分割し、分割された前記印刷工程ごとに描画する画像データを記憶して保存する分割画像データ記憶手段と、
前記分割画像データ記憶手段により記憶された前記印刷工程ごとの前記画像データに基づいて前記端部領域の印刷を繰り返して行う全面印刷手段と、
を有することを特徴とする画像形成装置。
【請求項２】
前記全面印刷手段は、記録材の同一面に対して潜像、定着の印刷工程を複数回行うことを特徴とする請求項１に記載の画像形成装置。
【請求項３】
前記全面印刷を行う時には、像担持体単位で前記端部領域の印刷を行うことを特徴とする請求項１または２に記載の画像形成装置。
【請求項４】
前記全面印刷を行う時には、文字／図形の画像データの印刷とそれ以外の画像データの印刷に分けて前記端部領域の印刷を行うことを特徴とする請求項１から３のいずれか１項記載の画像形成装置。
【請求項５】
前記全面印刷を行う時には、グラフィック画像のデータで、塗り潰しパターンがベタパターンであるときのみ前記端部領域の印刷を行うことを特徴とする請求項１から４のいずれか１項記載の画像形成装置。
【請求項６】
印刷する画像データの印刷領域情報と用紙情報から得られる印刷領域データとサイズに基づいて印刷用紙への描画位置を決定する描画位置決定ステップと、
全面印刷を行う時には端部領域の画像データの濃度を検出して複数回の印刷工程に分割し、分割された前記印刷工程ごとに描画する画像データを記憶して保存する分割画像データ記憶ステップと、
前記分割画像データ記憶ステップにより記憶された前記印刷工程ごとの前記画像データに基づいて前記端部領域の印刷を繰り返して行う全面印刷ステップと、
を有することを特徴とする画像形成方法。
【請求項７】
前記全面印刷ステップは、記録材の同一面に対して潜像、定着の印刷工程を複数回行うことを特徴とする請求項６に記載の画像形成方法。
【請求項８】
前記全面印刷を行う時には、像担持体単位で前記端部領域の印刷を行うことを特徴とする請求項６または７に記載の画像形成方法。
【請求項９】
前記全面印刷を行う時には、文字／図形の画像データの印刷とそれ以外の画像データの印刷に分けて前記端部領域の印刷を行うことを特徴とする請求項６から８のいずれか１項記載の画像形成方法。
【請求項１０】
前記全面印刷を行う時には、グラフィック画像のデータで、塗り潰しパターンがベタパターンであるときのみ前記端部領域の印刷を行うことを特徴とする請求項６から９のいずれか１項記載の画像形成方法。
【請求項１１】
画像形成装置に、
印刷する画像データの印刷領域情報と用紙情報から得られる印刷領域データとサイズに基づいて印刷用紙への描画位置を決定する描画位置決定処理と、
全面印刷を行う時には端部領域の画像データの濃度を検出して複数回の印刷工程に分割し、分割された前記印刷工程ごとに描画する画像データを記憶して保存する分割画像データ記憶処理と、
前記分割画像データ記憶手段により記憶された前記印刷工程ごとの前記画像データに基づいて前記端部領域の印刷を繰り返して行う全面印刷処理と、
を実行させることを特徴とする画像形成プログラム。
【請求項１２】
前記全面印刷処理は、記録材の同一面に対して潜像、定着の印刷工程を複数回行うことを特徴とする請求項１１に記載の画像形成プログラム。
【請求項１３】
前記全面印刷を行う時には、像担持体単位で前記端部領域の印刷を行うことを特徴とする請求項１１または１２に記載の画像形成プログラム。
【請求項１４】
前記全面印刷を行う時には、文字／図形の画像データの印刷とそれ以外の画像データの印刷に分けて前記端部領域の印刷を行うことを特徴とする請求項１１から１３のいずれか１項記載の画像形成プログラム。
【請求項１５】
前記全面印刷を行う時には、グラフィック画像のデータで、塗り潰しパターンがベタパターンであるときのみ前記端部領域の印刷を行うことを特徴とする請求項１１から１４のいずれか１項記載の画像形成プログラム。
【請求項１６】
請求項１１から１５のいずれか１項記載の画像形成プログラムの処理を記録するコンピュータ読取り可能な記録媒体。
【発明の詳細な説明】
【技術分野】
【０００１】
本発明は、用紙全面に画像を形成する電子写真方式の画像形成装置、画像形成方法、画像形成プログラム及び記録媒体に関する。
【背景技術】
【０００２】
複写装置やプリンタ装置等の画像形成装置においては、従来から用紙の周囲に所定幅の余白を設けて画像形成することが行われているが（特許文献１参照）、近年、高密度・高精彩な印刷の再現性だけでなく、印刷を用紙全面に施す技術（いわゆる「ふちなし」印刷、全面印刷）が写真印刷等において要求されてきている。特に、電子写真方式の画像形成装置においては、高精細な画像を形成することができることから、写真画像等においては、全面印刷（ふちなし印刷）の要望が強い。
【０００３】
電子写真方式の画像形成装置においては、トナーを転写させて画像形成した用紙を加熱・加圧することで当該トナーを用紙に定着させているが、全面印刷においては、用紙の端部一杯、特に、用紙の先端と後端一杯まで画像形成するため、この定着工程において、用紙の巻き付きによるジャムが発生する可能性が高くなり、用紙搬送性が低下するという問題がある。
【０００４】
そこで例えば特許文献２においては、画像データ周囲部の非印字領域に冗長画像データを付加して、当該冗長画像データを付加した画像データに基づいてプリントヘッドを用いて印字した後、画像データと冗長画像データとの境界をカッター機構で切断して、余白のない印字を行う印字装置の発明が開示されている。
【０００５】
また用紙搬送性が低下するという問題を解決する方法として、例えば特許文献３においては、画像データ端部の画像データのトナー濃度を低減させて全面印刷を可能とする装置の発明が開示されている。
【発明の概要】
【発明が解決しようとする課題】
【０００６】
しかしながら、上記従来技術にあっては、画像データ端部の画像データのトナー濃度を低減させて印刷するため、ユーザの所望する色見とは異なる印刷の仕上がりになるという問題があった。
【０００７】
そこで本発明は、上記問題点に鑑みてなされたもので、画像の品質を低下させることなく用紙全面に施す全面印刷を高精度に行う画像形成装置、画像形成方法、画像形成プログラム及び記録媒体を提供することを目的とする。
【課題を解決するための手段】
【０００８】
上記課題を解決するため、本発明に係る画像形成装置は、印刷する画像データの印刷領域情報と用紙情報から得られる印刷領域データとサイズに基づいて印刷用紙への描画位置を決定する描画位置決定手段と、全面印刷を行う時には端部領域の画像データの濃度を検出して複数回の印刷工程に分割し、分割された前記印刷工程ごとに描画する画像データを記憶して保存する分割画像データ記憶手段と、分割画像データ記憶手段により記憶された印刷工程ごとの画像データに基づいて端部領域の印刷を繰り返して行う全面印刷手段と、を有することを特徴とする。
【０００９】
本発明に係る画像形成方法は、印刷する画像データの印刷領域情報と用紙情報から得られる印刷領域データとサイズに基づいて印刷用紙への描画位置を決定する描画位置決定ステップと、全面印刷を行う時には端部領域の画像データの濃度を検出して複数回の印刷工程に分割し、分割された前記印刷工程ごとに描画する画像データを記憶して保存する分割画像データ記憶ステップと、分割画像データ記憶ステップにより記憶された印刷工程ごとの画像データに基づいて端部領域の印刷を繰り返して行う全面印刷ステップと、を有することを特徴とする。
【００１０】
本発明に係る画像形成プログラムは、画像形成装置に、印刷する画像データの印刷領域情報と用紙情報から得られる印刷領域データとサイズに基づいて印刷用紙への描画位置を決定する描画位置決定処理と、全面印刷を行う時には端部領域の画像データの濃度を検出して複数回の印刷工程に分割し、分割された印刷工程ごとに描画する画像データを記憶して保存する分割画像データ記憶処理と、分割画像データ記憶手段により記憶された印刷工程ごとの画像データに基づいて端部領域の印刷を繰り返して行う全面印刷処理と、を実行させることを特徴とする。
【００１１】
本発明に係る記録媒体は、上記に記載の画像形成プログラムの処理を記録するコンピュータ読取り可能な記録媒体であることを特徴とする。
【発明の効果】
【００１２】
本発明により、画像の品質を低下させることなく用紙全面に施す全面印刷を高精度に行うことが可能になる。
【図面の簡単な説明】
【００１３】
【図１】本発明の実施形態に係る、画像形成装置、画像形成方法、画像形成プログラム及び記録媒体の例を適用した画像形成装置のブロック構成図である。
【図２】本実施形態に係る画像形成装置の描画位置決定処理部の構成図である。
【図３】本実施形態に係る画像形成装置の通常印刷とEdge  to  Edge印刷の説明図である。
【図４】本実施形態に係る画像形成装置の通常印刷処理を示すフローチャート図である。
【図５】本実施形態に係る画像形成装置のEdge  to  Edge処理を示すフローチャート図である。
【図６】本実施形態に係る画像形成装置の再印刷行程を示す図である。
【図７】本実施形態に係る画像形成装置の搬送経路切換え機構を示す図である。
【発明を実施するための形態】
【００１４】
本発明の好適な実施形態を添付図面に基づいて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１５】
図１〜図７は、本発明の実施形態に係る、画像形成装置、画像形成方法、画像形成プログラム及び記録媒体の例を示す図である。
【００１６】
図１は、本発明の実施形態に係る、画像形成装置、画像形成方法、画像形成プログラム及び記録媒体の例を適用した画像形成装置１のブロック構成図である。
【００１７】
図１において、画像形成装置１は、大きく分けて、操作パネル２、ホストＩ／Ｆ部３、インタプリタ４及び描画エンジン５と、を備え、ネットワーク等の通信回線を介してホスト装置ＨＳが接続されている。
【００１８】
本実施形態に係る、画像形成装置１は、ＣＤ（Compact  Disc）、ＣＤ−ＲＷ（Compact  Disc  Rewritable）、ＤＶＤ（Digital  Video  Disk）、フレキシブルディスク等の記録媒体に記録されている画像形成プログラムを読み込んで導入することで、後述する画像形成方法としてのEdge  to  Edge印刷制御処理を実行する。
【００１９】
ホスト装置ＨＳは、通常のパーソナルコンピュータ等であり、ＯＳ（Operating  System）上に、文書作成アプリケーション、図形作成アプリケーション、表計算アプリケーション等を搭載して、当該アプリケーションで作成された文書データを印刷データ（画像データ）として画像形成装置１に送信する。
【００２０】
画像形成装置１の操作パネル２は、各種操作キー及びファンクションキー等を備えるとともに、ディスプレイ（例えば、液晶ディスプレイ）を備え、操作キーからは、画像形成装置１に印刷動作をさせるのに必要な各種命令等が入力され、ディスプレイには、操作キーから入力された命令内容や画像形成装置１からオペレータに通知する各種情報が表示される。画像形成装置１は、操作パネル２からの入力に応じて画像形成装置１の設定の変更等を行う。
【００２１】
ホストＩ／Ｆ部３には、上記ホスト装置ＨＳが接続され、ホスト装置ＨＳとの間で信号の授受及び画像データの受信を行って、受信した信号や画像データをインタプリタ４に渡す。
【００２２】
描画エンジン５は、所定の印刷方式、例えば、電子写真方式で用紙に印刷出力するものであり、インタプリタ４から渡されたページイメージを用紙に印刷する。
【００２３】
インタプリタ４は、ＰＤＬ（Page  Description  Language）デバイス制御コマンド処理部１１、ＰＤＬ描画処理コマンド処理部１２及び描画処理・デバイス制御部１３等を備えており、ＰＤＬ描画処理コマンド処理部１２は、描画位置決定処理部２０等を備えている。
【００２４】
ＰＤＬデバイス制御コマンド処理部１１は、デバイス制御コマンドの解析、実行処理を行い、ＰＤＬ描画処理コマンド処理部１２は、描画処理コマンドの解析、実行処理を行う。描画処理・デバイス制御部１３は、ＰＤＬデータの解析結果に沿って、デバイスの制御や印刷するページイメージの作成を行なう。
【００２５】
ＰＤＬ描画処理コマンド処理部１２は、描画位置決定処理部２０等を備えており、描画位置決定処理部２０は、図２に示すように、コマンド解析部２１、通常印刷位置選択部２２及びEdge  to  Edge印刷位置選択部２３等を備えている。
【００２６】
コマンド解析部２１は、印刷位置に関連するＰＤＬコマンドをＰＤＬ描画処理コマンド処理部１２から受信し、受信したＰＤＬコマンドを解析して、通常印刷の場合には、通常印刷領域情報と用紙情報を通常印刷位置選択部２２に出力し、Edge  to  Edge印刷（全面印刷）の場合には、Edge  to  Edge印刷領域情報と用紙情報をEdge  to  Edge印刷位置選択部２３に出力する。
【００２７】
通常印刷位置選択部２２は、コマンド解析部２１から通常印刷領域情報と用紙情報を受け取り、受け取った情報から通常印刷位置を選択して、選択した通常印刷領域を描画処理・デバイス制御部１３に通知する。
【００２８】
Edge  to  Edge印刷位置選択部２３は、コマンド解析部２１からEdge  to  Edge印刷領域情報と用紙情報を受け取り、受け取った情報からEdge  to  Edge印刷位置を選択して、選択したEdge  to  Edge印刷領域と通常印刷領域を描画処理・デバイス制御部１３に通知する。
【００２９】
すなわち、画像形成装置１は、通常印刷とEdge  to  Edge印刷とを行う機能を備えており、通常印刷では、図３に示すように、用紙３０の周囲部分に所定幅の余白領域（端部領域）３０ａを設け、当該余白領域３０ａを除いた中央部の通常印刷領域３０ｂ内にのみ画像を印刷し、Edge  to  Edge印刷では、用紙３０の端一杯、すなわち、用紙３０の通常印刷領域３０ｂと余白領域３０ａを含む全面をEdge  to  Edge印刷領域３０ｃとする印刷を行う。
【００３０】
次に、本実施形態に係る作用を説明する。本実施形態の画像形成装置１は、Edge  to  Edge印刷を行う場合には、複数回の印刷工程に分割して印刷する。
【００３１】
まず、画像形成装置１による用紙３０の通常印刷領域３０ｂにのみ印刷する通常印刷処理について、図４に基づいて説明する。
【００３２】
画像形成装置１は、印刷要求があると、まず、ＰＤＬコマンドから印刷対象の用紙３０の情報（用紙サイズ等）を取得（ステップＳ１０１）し、ＰＤＬコマンドを解釈して、印刷対象の画像データの内容を読み取る（ステップＳ１０２）。画像形成装置１は、読み取った画像データを認識して、必要な画像処理を施し（ステップＳ１０３）、ＰＤＬコマンドから印刷対象の用紙３０の印刷可能な領域の情報（通常印刷領域３０ｂの情報）を取得（ステップＳ１０４）する。
【００３３】
画像形成装置１は、通常印刷領域３０ｂの情報を取得すると、当該通常印刷領域３０ｂのデータとサイズを認識（ステップＳ１０５）し、この認識した通常印刷領域３０ｂのデータとサイズを保存（ステップＳ１０６）して、当該通常印刷領域３０ｂのデータとサイズに基づいて印刷対象画像の印刷対象用紙３０への描画位置を決定（ステップＳ１０７）する。
【００３４】
画像形成装置１は、描画位置を決定すると、当該描画位置への画像データの描画を開始（ステップＳ１０８）し、当該描画した画像データに基づいて用紙３０の通常印刷領域３０ｂ内への画像の印刷を行う（ステップＳ１０９）。
【００３５】
次に、画像形成装置１は、Edge  to  Edge印刷を行う場合には、図５に示すように、複数回の印刷工程に分割して印刷する。
【００３６】
画像形成装置１は、図５に示すように、印刷要求があると、ＰＤＬコマンドから印刷領域情報を取得して、通常印刷であるかEdge  to  Edge印刷であるか判断（ステップＳ２０１）し、通常印刷の場合（ステップＳ２０１、ＮＯ）には、図４に示した通常印刷処理（通常の描画処理）を行い（ステップＳ２０２）、処理を終了する。
【００３７】
ステップＳ２０１で、Edge  to  Edge印刷である場合（ステップＳ２０１、ＹＥＳ）は、画像形成装置１は、ＰＤＬコマンドから印刷対象の用紙３０の情報（用紙サイズ等）を取得（ステップＳ２０３）し、ＰＤＬコマンドを解釈して、印刷対象の画像データの内容を読み取る（ステップＳ２０４）。画像形成装置１は、読み取った画像データを認識して、必要な画像処理を施し（ステップＳ２０５）、印刷対象画像がＰＤＬコマンドから印刷対象の用紙３０の通常の印刷可能な領域（通常印刷領域３０ｂ）内の画像であるか否かを判断する（ステップＳ２０６）。
【００３８】
ステップＳ２０６で、対象画像が通常印刷領域３０ｂの画像である場合（ステップＳ２０６、ＹＥＳ）には、画像形成装置１は、通常の印刷処理を行い（ステップＳ２０２）、処理を終了する。
【００３９】
対象画像が通常印刷領域３０ｂではなく余白領域３０ａの画像である場合（ステップＳ２０６、ＮＯ）には画像形成装置１は、ＰＤＬコマンドから印刷対象の用紙３０の印刷可能なEdge  to  Edge印刷領域３０ｃの情報（通常印刷領域３０ｂと余白領域３０ａの情報）を取得（ステップＳ２０７）し、当該Edge  to  Edge印刷領域３０ｃのデータとサイズを認識する（ステップＳ２０８）。画像形成装置１は、この認識したEdge  to  Edge印刷領域３０ｃのデータとサイズを保存（ステップＳ２０９）して、当該Edge  to  Edge印刷領域３０ｃのデータとサイズに基づいて印刷対象画像の印刷対象用紙３０へのEdge  to  Edge印刷領域３０ｃの描画位置を決定する（ステップＳ２１０）。
【００４０】
画像形成装置１は、描画位置を決定すると、余白領域３０ａの画像データの濃度を検出（ステップＳ２１１）し、濃度に応じて、何回の印刷工程に分割するかを決定し、印刷工程ごとに描画する画像データに分割する（ステップＳ２１２）。その後、分割した画像データを揮発もしくは不揮発の記憶部に保存する（ステップＳ２１３）。
【００４１】
次に、印刷工程の実施回数に応じて、記憶部から画像データを読み出し（ステップＳ２１４）、通常印刷領域３０ｂと余白領域３０ａの描画位置への画像データの描画を開始し（ステップＳ２１５）、当該描画した画像データに基づいて用紙３０の通常印刷領域３０ｂと余白領域３０ａへの画像の印刷、すなわち、Edge  to  Edge印刷を行う（ステップＳ２１６）。
【００４２】
次に、印刷工程の実施回数と分割数が一致しているかを判断（ステップＳ２１７）し、一致している場合（ステップＳ２１７、ＹＥＳ）は、印刷用紙を機外に排出する（ステップＳ２１８）。一致していない場合（ステップＳ２１７、ＮＯ）は、印刷工程を再度行う必要があると判断し、ステップＳ２１４から印刷工程の実施回数と分割数が一致するまで印刷工程を繰り返す。
【００４３】
再度印刷工程を行うには、図６に示すように、一度印刷した用紙を、再度、レジストローラ部へと搬送し、潜像、定着などの印刷工程を実施する。
【００４４】
本実施形態に係る複数回の印刷工程に分割して印刷する場合、例えばＣ成分、Ｍ成分、Ｙ成分、Ｋ成分の計４回の画像データに分割して印刷する例で説明する。
【００４５】
図６（ａ）に示すように、給紙ローラにて給紙した用紙をレジストローラまで搬送し、Ｃ成分の画像データの描画タイミングに合わせて用紙を作像ステーションへと搬送する。そして作像ステーションにて潜像した印刷用紙を定着器にて定着する。
【００４６】
ステップＳ２１７において、印刷工程の実施回数と分割数が一致していない場合、すなわち、分割数が４、実施回数が１であるため、印刷工程を再度行う必要があると判断（ステップＳ２１７、ＮＯ）し、再度印刷工程のためにステップＳ２１４から実施する。図７の（ｂ）に示すような搬送経路切換え機構にて再印刷搬送経路へ印刷用紙（Ｃ成分のみを印刷した用紙）を導き、再印刷搬送経路からレジストローラ部へと用紙を搬送する。その後、分割したＹ成分の画像データを潜像、定着し再印刷経路へと導く。これをＫ成分印刷まで実施する。Ｋ成分印刷を実施すると、ステップＳ２１７において、分割数が４、実施回数が４であるため、すべての画像データの印刷が終了（ステップＳ２１７、ＹＥＳ）したとして、図７の（ａ）に示す搬送経路切換え機構にて機外排出に切り替えて、印刷用紙を機外へ排出する（ステップＳ２１８）。
【００４７】
このように、本実施形態の画像形成装置１は、Edge  to  Edge印刷時に、用紙３０の余白領域３０ａを検出し、印刷対象の画像データのうち当該余白領域３０ａの画像データの濃度に応じて複数回の印刷工程を繰り返し、当該余白領域３０ａの印刷を行っている。
【００４８】
したがって、安価にかつ用紙サイズを小さくすることなく、良好な用紙搬送性能を維持することができるとともに、狙いの高品質の画像濃度を維持しつつ、用紙３０の全面に施す全面印刷を高精度に行うことができる。
【００４９】
また、ステップＳ２１２の印刷工程の分割処理は、例えば、Ｋ、Ｙ、Ｍ、Ｃ、すなわちトナー種類単位に４回の印刷工程を分割してもよい。またその他に、ステップＳ２１２の印刷工程の分割処理は、文字や図形の印刷と、写真の印刷の２回の印刷工程に分割しても良い。
【００５０】
また、ステップＳ２０６の通常印刷領域範囲内か否かの判断において、当該余白領域３０ａに塗りつぶしパターンである場合のみ、印刷工程の分割処理を実施し、そうでない場合は、通常の印刷処理（ステップ２０２）を実施してもよい。
【００５１】
なお、上述した本実施形態の説明では、全面印刷であるEdge  to  Edge印刷として、用紙３０の全面に画像を印刷する場合について説明したが、Edge  to  Edge印刷としては、上述した本実施形態の場合に限るものではなく、例えば、少なくとも用紙３０の副走査方向の前端側と後端側においてその端まで画像を印刷するものであって、主走査方向においては、所定幅の余白部分を設けて印刷するものであってよい。
【００５２】
以上、本発明者によってなされた発明を好適な実施形態に基づき具体的に説明したが、本発明は上述のものに限定されるものではなく、その要旨を逸脱しない範囲で種々変更可能であることはいうまでもない。
【００５３】
また本発明に係る画像形成装置の全面印刷手段は、記録材の同一面に対して潜像、定着の印刷工程を複数回行うようにしても良い。
【００５４】
また本発明に係る画像形成装置で全面印刷を行う時には、像担持体単位で端部領域の印刷を行うようにしても良い。
【００５５】
また本発明に係る画像形成装置で全面印刷を行う時には、文字／図形の画像データの印刷とそれ以外の画像データの印刷に分けて端部領域の印刷を行うようにしても良い。
【００５６】
また本発明に係る画像形成装置で全面印刷を行う時には、グラフィック画像のデータで、塗り潰しパターンがベタパターンであるときのみ端部領域の印刷を行うようにしても良い。
【００５７】
また本発明に係る画像形成プログラムの全面印刷ステップは、記録材の同一面に対して潜像、定着の印刷工程を複数回行うようにしても良い。
【００５８】
また本発明に係る画像形成プログラムで全面印刷を行う時には、像担持体単位で端部領域の印刷を行うようにしても良い。
【００５９】
また本発明に係る画像形成プログラムで全面印刷を行う時には、文字／図形の画像データの印刷とそれ以外の画像データの印刷に分けて端部領域の印刷を行うようにしても良い。
【００６０】
また本発明に係る画像形成プログラムで全面印刷を行う時には、グラフィック画像のデータで、塗り潰しパターンがベタパターンであるときのみ端部領域の印刷を行うようにしても良い。
【００６１】
また本発明に係る画像形成プログラムの全面印刷処理は、記録材の同一面に対して潜像、定着の印刷工程を複数回行うようにしても良い。
【００６２】
また本発明に係る画像形成プログラムで全面印刷を行う時には、像担持体単位で端部領域の印刷を行うようにしても良い。
【００６３】
また本発明に係る画像形成プログラムで全面印刷を行う時には、文字／図形の画像データの印刷とそれ以外の画像データの印刷に分けて端部領域の印刷を行うようにしても良い。
【００６４】
また本発明に係る画像形成プログラムで全面印刷を行う時には、グラフィック画像のデータで、塗り潰しパターンがベタパターンであるときのみ端部領域の印刷を行うようにしても良い。
【産業上の利用可能性】
【００６５】
本発明によれば、画像をEdge  to  Edge印刷するプリンタ装置、ファクシミリ装置、複合装置、複写装置等の画像形成装置などの用途に適用できる。
【符号の説明】
【００６６】
１    画像形成装置
２    操作パネル
３    ホストＩ／Ｆ部
４    インタプリンタ
５    描画エンジン
１１    ＰＤＬデバイス制御コマンド処理部
１２    ＰＤＬ描画処理コマンド処理部
１３    描画処理・デバイス制御部
２０    描画位置決定処理部
２１    コマンド解析部
２２    通常印刷位置決定処理部
２３    Edge  to  Edge印刷位置選択部
３０    用紙
３０ａ    余白領域
３０ｂ    通常印刷領域
３０ｃ    Edge  to  Edge印刷領域
【先行技術文献】
【特許文献】
【００６７】
【特許文献１】特開２００４−８８５７３号公報
【特許文献２】特開２００５−１２５５３６号公報
【特許文献３】特開２００７−３１２０７７号公報
【図１】
2010169827.tif 000003
【図２】
2010169827.tif 000004
【図３】
2010169827.tif 000005
【図４】
2010169827.tif 000006
【図５】
2010169827.tif 000007
【図６】
2010169827.tif 000008
【図７】
2010169827.tif 000009